(57)【特許請求の範囲】
【請求項１】
複数の方向に、方向によって異なる映像が表示される表示装置において、
複数の映像音声信号を入力するための入力手段と、
入力された各映像音声信号を映像信号及び音声信号に分離する分離手段と、
分離された映像信号から方向毎に映像信号を選択する第１選択手段と、
１又は複数の方向の映像信号の表示状態を示す副映像を記憶する記憶手段と、
前記第１選択手段により選択された各方向の映像信号に、対応する前記副映像に係る映像信号を合成する合成手段と、
合成された映像信号を各方向に出力する映像出力手段と、
前記第１選択手段により選択された映像信号のうちの１つの映像信号に対応する音声信号を選択する第２選択手段と、
該第２選択手段が選択した音声信号を出力する音声出力手段と
を備え、
前記副映像は、いずれの方向の映像信号に対応した音声信号が出力されているかを示す映像であること
を特徴とする表示装置。
【請求項２】
複数の方向に、方向によって異なる映像が表示される表示装置において、
複数の映像音声信号を入力するための入力手段と、
入力された各映像音声信号を映像信号及び音声信号に分離する分離手段と、
分離された映像信号から方向毎に映像信号を選択する第１選択手段と、
１又は複数の方向の映像信号の表示状態を示す副映像を記憶する記憶手段と、
前記第１選択手段により選択された各方向の映像信号に、対応する前記副映像に係る映像信号を合成する合成手段と、
合成された映像信号を各方向に出力する映像出力手段と、
前記第１選択手段により選択された映像信号のうちの１つの映像信号に対応する音声信号を選択する第２選択手段と、
該第２選択手段が選択した音声信号を出力する音声出力手段と
を備え、
合成される各方向の副映像は、それぞれの方向の映像信号に対応した音声信号が出力されているか否かを示す映像であること
を特徴とする表示装置。
【請求項３】
前記副映像は、前記選択された各方向の映像信号に係る映像に対して所定の透明度を有すること
を特徴とする請求項１又は２に記載の表示装置。
【請求項４】
前記副映像は、１又は複数の映像表示特性を調整する為のメニュー映像を含み、
該映像表示特性の調整の開始を受け付ける受付手段を備え、
該映像表示特性の調整の開始を受け付けた場合、前記合成手段は、一の方向の映像信号に前記メニュー映像に係る映像信号を合成し、他の方向の映像信号に前記メニュー映像が前記一の方向に出力されていることを示す映像に係る映像信号を合成するようにしてあること
を特徴とする請求項１から３のいずれか１つに記載の表示装置。
【請求項５】
前記副映像は、１又は複数の映像表示特性を調整する為のメニュー映像を含み、
該映像表示特性の調整の開始を受け付ける受付手段を備え、
該映像表示特性の調整の開始を受け付けた場合、前記合成手段は、一の方向の映像信号に前記メニュー映像に係る映像信号を合成し、他の方向の映像信号に前記メニュー映像を該方向に出力するための操作に関する映像に係る映像信号を合成するようにしてあること
を特徴とする請求項１から４のいずれか１つに記載の表示装置。
【請求項６】
前記操作がなされた場合、前記合成手段は、前記一の方向の映像信号に前記メニュー映像に係る映像信号の合成を中止し、前記他の方向の映像信号に前記メニュー映像に係る映像信号を合成するようにしてあること
を特徴とする請求項５記載の表示装置。
【発明の詳細な説明】
【技術分野】
【０００１】
本発明は、複数の方向に、方向によって異なる映像が表示される表示装置に関する。
【背景技術】
【０００２】
表示装置には、２つのＵ／Ｖチューナ、ＢＳチューナ、ビデオ入力などのいずれか２つ以上の入力ソースを有し、これらから任意に選択した複数の入力ソースの映像信号を取り込み、これらの映像信号に係る映像を同時に表示するピクチャー・イン・ピクチャー機能、又はピクチャー・アンド・ピクチャー機能を備えたものがある。このような機能を搭載した表示装置では、複数の映像が同時に表示されるが、音声は、どちらか一方の映像に係る音声しか出力されないことから、図１５に示すように、表示部１００に複数の映像１１０，１２０が表示されたときに音符マーク１３０を表示し、出力されている音声に対応する映像がいずれであるかをユーザが視認できるようにした表示装置が開示されている（例えば、特許文献１参照。）。
【０００３】
【特許文献１】特開平８−１１６４９９号公報
【特許文献２】特開２００４−１３９０５３号公報
【発明の開示】
【発明が解決しようとする課題】
【０００４】
ところで、近年、異なる光学特性を有するパターン化位相差板を視差バリアとして用い、複数の視点に対して異なる映像を表示する視差バリア方式の表示装置が提案されている（例えば、特許文献２参照。）。このような視差バリア方式の表示装置においては、図１６に示すように、出力されている音声に対応する映像１１０に音符マーク１３０を合成したとしても、その映像１１０と異なる映像１２０を視聴しているユーザは、音符マーク１３０を視認することができないことから、出力されている音声と映像との対応関係を把握することができないという問題があった。
【０００５】
つまり、従来型の表示装置では、２画面表示であるといっても、複数のユーザが２画面を共有することができ、２つの映像を視認することができるが、視差バリア方式の表示装置においては、一の方向のユーザが、他の方向に表示されている映像を視認することができないので、従来型の表示装置とは異なる表示処理を行なう必要がある。
【０００６】
本発明は斯かる事情に鑑みてなされたものであり、方向によって視認できる映像が異なる場合であっても、１又は複数の方向の状態を示す映像を副映像として合成し、それぞれの方向に出力する構成とすることにより、それぞれの方向のユーザが、他の方向の状態を容易に把握することができる表示装置の提供を目的とする。
【０００７】
また本発明は、いずれの方向の映像信号に対応した音声信号が出力されているかを示す映像を副映像として合成し、それぞれの方向に出力する構成とすることにより、それぞれの方向のユーザは、出力されている音声がいずれの方向の映像に対応したものであるかを容易に把握することができる表示装置の提供を目的とする。
【０００８】
さらに本発明は、それぞれの方向の映像信号に対応した音声信号が出力されているか否かを示す映像をそれぞれの方向の副映像として合成し、それぞれの方向に出力する構成とすることにより、それぞれの方向のユーザが、出力されている音声がその方向の映像に対応したものであるか否かを容易に把握することができる表示装置の提供を目的とする。
【０００９】
さらにまた本発明は、副映像が映像信号に係る映像（主映像）に対して所定の透明度を有することにより、副映像の領域における主映像をユーザに視認させることができる表示装置の提供を目的とする。
【００１０】
さらにまた本発明は、各種の調整の開始を受け付けた場合、各種の調整用の映像を副映像として主映像に合成した映像を一の方向に出力し、各種の調整用の映像が一の方向に出力されていることを示す映像を副映像として主映像に合成した映像を他の方向に出力する構成とすることにより、他の方向のユーザが一の方向で表示装置の調整が行なわれていることを把握でき、かつ他の方向のユーザが表示装置の調整を行なうことを防止することができる表示装置の提供を目的とする。
【００１１】
さらにまた本発明は、各種の調整の開始を受け付けた場合、各種の調整用の映像を副映像として主映像に合成した映像を一の方向に出力し、各種の調整用の映像を他の方向に出力するための操作に関する映像を副映像として主映像に合成した映像を他の方向に出力する構成とすることにより、他の方向のユーザが、操作に関する映像を参照して、他の方向で表示装置の調整を行なえるようにする表示装置の提供を目的とする。
【００１２】
さらにまた本発明は、各種の調整用の映像を一の方向から他の方向に出力するための操作がなされた場合、各種の調整用の映像を、一の方向の映像に合成するのを中止し、他の方向の映像に合成する構成とすることにより、他の方向のユーザが、表示装置の調整を行なうことができる表示装置の提供を目的とする。
【課題を解決するための手段】
【００１５】
本発明に係る表示装置は、複数の方向に、方向によって異なる映像が表示される表示装置において、複数の映像音声信号を入力するための入力手段と、入力された各映像音声信号を映像信号及び音声信号に分離する分離手段と、分離された映像信号から方向毎に映像信号を選択する第１選択手段と、１又は複数の方向の映像信号の表示状態を示す副映像を記憶する記憶手段と、前記第１選択手段により選択された各方向の映像信号に、対応する前記副映像に係る映像信号を合成する合成手段と、合成された映像信号を各方向に出力する映像出力手段と、前記第１選択手段により選択された映像信号のうちの１つの映像信号に対応する音声信号を選択する第２選択手段と、該第２選択手段が選択した音声信号を出力する音声出力手段とを備え、前記副映像は、いずれの方向の映像信号に対応した音声信号が出力されているかを示す映像であることを特徴とする。
【００１６】
本発明にあっては、副映像がいずれの方向の映像信号に対応した音声信号が出力されているかを示す映像であるので、いずれの方向のユーザに対しても、出力されている音声がどの方向の映像に対応したものであるかを容易に把握させることができる。つまり、視差バリア方式のような表示装置では、他の方向の映像を視認できないので、出力されている音声がユーザの方向の映像に対応するものか、それとも他の方向の映像に対応するものかを把握することはできないが、本発明では、いずれの方向の映像信号に対応した音声信号が出力されているか否かを示す映像が副映像として合成されて出力されるので、それぞれのユーザは、この副映像によって、出力されている音声が、視聴している映像に対応するものであるか否かを容易に把握することができる。
【００１９】
本発明に係る表示装置は、複数の方向に、方向によって異なる映像が表示される表示装置において、複数の映像音声信号を入力するための入力手段と、入力された各映像音声信号を映像信号及び音声信号に分離する分離手段と、分離された映像信号から方向毎に映像信号を選択する第１選択手段と、１又は複数の方向の映像信号の表示状態を示す副映像を記憶する記憶手段と、前記第１選択手段により選択された各方向の映像信号に、対応する前記副映像に係る映像信号を合成する合成手段と、合成された映像信号を各方向に出力する映像出力手段と、前記第１選択手段により選択された映像信号のうちの１つの映像信号に対応する音声信号を選択する第２選択手段と、該第２選択手段が選択した音声信号を出力する音声出力手段とを備え、合成される各方向の副映像は、それぞれの方向の映像信号に対応した音声信号が出力されているか否かを示す映像であることを特徴とする。
【００２０】
本発明にあっては、入力された複数の映像音声信号を映像信号及び音声信号に分離する。そして、分離された映像信号から方向毎に映像信号を選択する。そして、選択された各方向の映像信号に、１又は複数の方向の状態を示す副映像に係る映像信号を合成して各方向に出力する。また、出力された映像信号のうちの１つの映像信号に対応する音声信号を選択して出力する。それぞれの方向の映像信号に対応した音声信号が出力されているか否かを示す映像を副映像として各方向の映像に合成するので、それぞれの方向のユーザは、出力されている音声がその方向の映像に対応したものであるか否かを容易に把握することができる。
【００２１】
本発明に係る表示装置は、前記副映像は、前記選択された各方向の映像信号に係る映像に対して所定の透明度を有することを特徴とする。
【００２２】
本発明にあっては、副映像が主映像に対して所定の透明度を有するので、副映像の領域における主映像をユーザに視認させることができる。副映像が透明でない場合、副映像の領域に対応する主映像の領域が見えなくなるが、本発明では、副映像によって多少は主映像の対応する領域が見え難くなるが、全く見えなくなることはない。
【００２３】
本発明に係る表示装置は、前記副映像は、１又は複数の映像表示特性を調整する為のメニュー映像を含み、該映像表示特性の調整の開始を受け付ける受付手段を備え、該映像表示特性の調整の開始を受け付けた場合、前記合成手段は、一の方向の映像信号に前記メニュー映像に係る映像信号を合成し、他の方向の映像信号に前記メニュー映像が前記一の方向に出力されていることを示す映像に係る映像信号を合成するようにしてあることを特徴とする。
【００２４】
本発明にあっては、各種の調整の開始を受け付けた場合、各種の映像表示特性を調整する為のメニュー映像を副映像として主映像に合成した映像を一の方向に出力する。一方、各種の映像表示特性を調整する為のメニュー映像が一の方向に出力されていることを示す映像を副映像として主映像に合成した映像を他の方向に出力する。これにより、他の方向のユーザは、一の方向で表示装置の映像表示特性の調整が行なわれていることを把握できる。また、他の方向への各種の映像表示特性を調整する為のメニュー映像の出力を禁止して、他の方向のユーザが表示装置の映像表示特性の調整を行なうことを防止する。
【００２５】
本発明に係る表示装置は、前記副映像は、１又は複数の映像表示特性を調整する為のメニュー映像を含み、該映像表示特性の調整の開始を受け付ける受付手段を備え、該映像表示特性の調整の開始を受け付けた場合、前記合成手段は、一の方向の映像信号に前記メニュー映像に係る映像信号を合成し、他の方向の映像信号に前記メニュー映像を該方向に出力するための操作に関する映像に係る映像信号を合成するようにしてあることを特徴とする。
【００２６】
本発明にあっては、各種の映像表示特性の調整の開始を受け付けた場合、各種の映像表示特性の調整用の映像を副映像として主映像に合成した映像を一の方向に出力する。一方、各種の映像表示特性を調整する為のメニュー映像を他の方向に出力するための操作に関する映像を副映像として主映像に合成した映像を他の方向に出力する。これにより、他の方向のユーザは、操作に関する映像を参照して、各種の映像表示特性を調整する為のメニュー映像を他の方向に出力して表示装置の映像表示特性の調整を行なえる。
【００２７】
本発明に係る表示装置は、前記操作がなされた場合、前記合成手段は、前記一の方向の映像信号に前記メニュー映像に係る映像信号の合成を中止し、前記他の方向の映像信号に前記メニュー映像に係る映像信号を合成するようにしてあることを特徴とする。
【００２８】
本発明にあっては、各種の映像表示特性を調整する為のメニュー映像を一の方向から他の方向に出力するための操作がなされた場合、各種の映像表示特性を調整する為のメニュー映像を一の方向の映像に合成するのを中止し、他の方向の映像に合成する。これにより、他の方向のユーザは、表示装置の映像表示特性の調整を他の方向で行なうことができる。
【発明の効果】
【００２９】
本発明によれば、１又は複数の方向の状態を示す映像を副映像として合成し、それぞれの方向に出力する構成としたので、方向によって視認できる映像が異なる場合であっても、各方向の主映像に合成された副映像によって、ユーザは他の方向の状態を容易に把握することができる。
【００３０】
本発明によれば、いずれの方向の映像信号に対応した音声信号が出力されているかを示す映像を副映像として合成し、それぞれの方向に出力する構成としたので、方向に依存することなく、出力されている音声が、いずれの方向の映像に対応したものであるかを容易に把握することができる。
【００３１】
本発明によれば、それぞれの方向の映像信号に対応した音声信号が出力されているか否かを示す映像をそれぞれの方向の副映像として合成し、それぞれの方向に出力する構成としたので、それぞれの方向のユーザは、出力されている音声がその方向の映像に対応したものであるか否かを容易に把握することができる。
【００３２】
本発明によれば、副映像が主映像に対して所定の透明度を有することにしたので、副映像の領域における主映像をユーザに視認させることができる。副映像によって多少は主映像の対応する領域が見え難くなるが、全く見えなくなることはなく、視聴している主映像の要部が副映像の領域に重畳した場合であっても、主映像の内容を視認することができる。
【００３３】
本発明によれば、各種の調整の開始を受け付けた場合、各種の調整用の映像を副映像として主映像に合成して一の方向に出力し、各種の調整用の映像が一の方向に出力されていることを示す映像を副映像として主映像に合成して他の方向に出力する構成としたので、他の方向への各種の調整用の映像の出力を禁止して、他の方向のユーザが表示装置の調整を行なうことを防止することができる。
【００３４】
本発明によれば、各種の調整の開始を受け付けた場合、各種の調整用の映像を副映像として主映像に合成して一の方向に出力し、各種の調整用の映像を他の方向に出力するための操作に関する映像を副映像として主映像に合成して他の方向に出力する構成としたので、他の方向のユーザが、操作に関する映像を参照して、表示装置の調整を他の方向で行なえるようにすることができる。
【００３５】
本発明によれば、各種の調整用の映像を一の方向から他の方向に出力するための操作がなされた場合、各種の調整用の映像を一の方向の映像に合成するのを中止し、他の方向の映像に合成する構成としたので、他の方向のユーザが、表示装置の調整を他の方向で行なうことができる等、優れた効果を奏する。
【発明を実施するための最良の形態】
【００３６】
以下、本発明をその実施の形態を示す図面に基づいて詳述する。
【００３７】
図１は本発明に係る表示装置の構成例を示すブロック図である。
本発明に係る表示装置１は、ＣＰＵで構成された制御部１０を備えている。制御部１０は、ＲＯＭ１１、セレクタ１２ａ，１２ｂ、映像コーデック１６、音声コーデック１７、映像信号出力部１８、音声信号出力部２０、操作信号受信部２２などと接続され、これら各部を制御して、ＲＯＭ１１に格納されたコンピュータプログラムに従って種々の機能を実行する。
【００３８】
セレクタ１２ａ，１２ｂは、地上放送用チューナ部１３、衛星放送用チューナ部１４及び外部入力部１５に接続されており、地上放送用チューナ部１３は放送中継基地の方向に向けて配置されたアンテナ５に、衛星放送用チューナ部１４は衛星方向に向けて配置されたアンテナ６に、それぞれ接続されている。また、外部入力部１５には、ビデオプレイヤー、ＤＶＤプレイヤーなどの再生機器７が接続されている。
【００３９】
地上放送用チューナ部１３は、入力されたＲＦ信号を取り込んで映像信号と音声信号とに分離する。また、衛星放送用チューナ部１４は、入力されたＣＳ／ＢＳ衛星信号を取り込んで映像信号と音声信号とに分離する。さらに、外部入力部１５は、映像信号と音声信号とが分離されたＡＶケーブルで再生機器７に接続されており、すでに分離された映像信号及び音声信号が入力されている。
【００４０】
セレクタ１２ａは、地上放送用チューナ部１３、衛星放送用チューナ部１４及び外部入力部１５から出力されるいずれか２つの映像信号を選択する。セレクタ１２ｂは、地上放送用チューナ部１３、衛星放送用チューナ部１４及び外部入力部１５から出力されるいずれか１つの音声信号を選択する。なお、セレクタ１２ａ，１２ｂが選択する映像信号及び音声信号は、ユーザがリモコン３を用いて指示を行なう。また、セレクタ１２ｂによって選択される音声信号は、セレクタ１２ａに選択された２つの映像信号に対応する２つの音声信号のうちの一方であるとする。もちろん、２つの映像信号のそれぞれに対応しない音声信号をセレクタ１２ｂが選択することも可能である。
【００４１】
セレクタ１２ａによって選択された２つの映像信号は映像コーデック１６に出力され、映像コーデック１６は、適宜の復号化処理を行なった後に、映像信号をＹ信号（輝度信号）／Ｃ信号（クロマ信号）に分離し、Ｙ信号／Ｃ信号から表示部を駆動するためのＲ，Ｇ，Ｂ信号を生成するとともに、ＲＯＭ１１に記憶されているＯＳＤ映像１１ａを読み出し、合成処理部１６ａにて、映像信号とＯＳＤ映像に係る映像信号とを合成する。合成された映像信号は映像信号出力部１８へ出力され、合成された映像が表示部１９に表示される。ここで、ＯＳＤ映像１１ａは、後述する各種の副映像のことである。
【００４２】
セレクタ１２ｂによって選択された１つの音声信号は音声コーデック１７に出力され、音声コーデック１７は、適宜の復号化処理を行なった後に、音量、バランス及び音質等を調整して音声信号出力部２０へ出力し、音声がスピーカ部２１から出力される。
【００４３】
操作信号受信部２２は、表示装置１に対応したリモコン３から送信された操作信号を受信するためのものであり、この操作信号によって表示装置１の動作が操作される。本例では、表示装置１とは別体のリモコン３を用いて表示装置１を遠隔操作するものとするが、表示装置１の本体には図示しない操作部が設けられてあり、表示装置１を本体側で操作することも可能である。
【００４４】
リモコン３は、ＣＰＵで構成された制御部３０を備え、制御部３０はＲＯＭ３１、操作部３２、操作信号送信部３３などと接続され、これら各部を制御し、ＲＯＭ３１に予め格納されているコンピュータプログラムに従って種々の機能を実行する。
【００４５】
操作部３２は、表示装置１を操作するための各種のボタンキーを備えている（詳細は後述する）。ユーザによってボタンキーが押下されることで、制御部３０は、押下されたボタンキーに基づいて操作信号を生成し、操作信号を操作信号送信部３３から無線（電波、赤外線など）の形態で表示装置１（操作信号受信部２２）へ送信する。
【００４６】
表示部１９は、複数の視点に対して異なる映像を表示する、いわゆるデュアルビュー表示が可能な液晶パネルで構成される。図２は表示部としての液晶パネルの構成を示す分解斜視図である。表示部１９は、スイッチ用の液晶パネル４１と映像表示用の液晶パネル４２との間隙に位相差板４３が挟持された構成をしている。
【００４７】
液晶パネル４１及び４２の光入射面には偏光板４４，４５が貼付されており、入射光の偏光方向が規制される。位相差板４３は、入射光を偏光させるものであって、本例では１／２位相差板を用いる。１／２位相差板は、入射光の偏光方向とラビング方向とのなす角度に応じて、その角度の２倍の偏光方向の光を出射させる機能を有する。本発明に用いる位相差板４３は、そのラビング方向が異なる第１領域４３ａと第２領域４３ｂとを交互に設ける。第１領域４３ａ及び第２領域４３ｂについては、横方向に交互に設けてもよいし（図３（ａ））、縦方向に交互に設けてもよく（図３（ｂ））、また、横方向及び縦方向に交互に設けてもよい（図３（ｃ））。
【００４８】
図４及び図５は表示部の動作を説明するための説明図である。
ここでは、一例として、鉛直方向を０°とした場合、偏光板４４が９０°、位相差板４３の第１領域４３ａにおけるラビング方向が−２２．５°、第２領域４３ｂにおけるラビング方向が−６７．５°、偏光板４５が−４５°である場合について説明する。
【００４９】
［デュアルビュー表示：スイッチ用の液晶パネルがオフされた場合（図４（ａ））］
スイッチ用の液晶パネル４１がオフされた場合、つまり液晶層に電圧が印加されない状態では、入射光が旋光することなく出射され、位相差板４３によって旋光される。
位相差板４３の第１領域４３ａと第２領域４３ｂとではラビング方向が異なることから、第１領域４３ａを通過した光と第２領域４３ｂを通過した光とでは、その偏光状態が異なる。つまり、位相差板４３の第１領域４３ａを通過する光は、その入射光の偏光方向と第１領域４３ａにおけるラビング方向とのなす角が６７．５°であることから、６７．５°の２倍、すなわち１３５°旋光することから、偏光方向は４５°となる。一方、位相差板４３の第２領域４３ｂを通過する光は、その入射光の偏光方向と第２領域４３ｂにおけるラビング方向とのなす角が２２．５°であることから、２２．５°の２倍、すなわち４５°旋光することから、偏光方向は−４５°となる。このように、第１領域４３ａを通過した光と第２領域４３ｂを通過した光とは偏光方向が９０°異なる。
【００５０】
したがって、映像表示用の液晶パネル４２の光入射面に−４５°方向の偏光板４５を貼付しておくことにより、第１領域４３ａを通過した光の液晶パネル４２への入射を規制し、第２領域４３ｂを通過した光のみ液晶パネル４２へ入射させる。これにより、第２領域４３ｂに対応する液晶パネル４２の領域４２ｂでは、液晶層に印加する電圧を制御して電気光学特性によって決定される光透過率を制御することができる。一方、第１領域４３ａに対応する液晶パネル４２の領域４２ａでは、入射光の強度がゼロであることから、液晶層における光透過率を制御した場合であっても、出射光の強度はゼロである。つまり、領域４２ｂでは映像が表示されるが、領域４２ａでは映像が表示されない。
【００５１】
［デュアルビュー表示：スイッチ用の液晶パネルがオンされた場合（図４（ｂ））］
スイッチ用の液晶パネル４１がオンされた場合、つまり液晶層に電圧が印加された場合は、液晶層の電気光学特性によって入射光が９０°旋光して出射され、位相差板４３によってさらに旋光される。
【００５２】
位相差板４３の第１領域４３ａを通過する光は、その入射光の偏光方向と第１領域４３ａにおけるラビング方向とのなす角が−２２．５°であることから、−２２．５°の２倍、すなわち−４５°旋光することから、偏光方向は−４５°となる。一方、位相差板４３の第２領域４３ｂを通過する光は、その入射光の偏光方向と第２領域４３ｂにおけるラビング方向とのなす角が−６７．５°であることから、−６７．５°の２倍、すなわち−１３５°旋光することから、偏光方向は４５°となる。このように、第１領域４３ａを通過した光と第２領域４３ｂを通過した光とは偏光方向が９０°異なる。
【００５３】
したがって、映像表示用の液晶パネル４２の光入射面に貼付した偏光板４５によって、第２領域４３ｂを通過した光の液晶パネル４２への入射を規制し、第１領域４３ａを通過した光のみ液晶パネル４２へ入射させる。これにより、第１領域４３ａに対応する液晶パネル４２の領域４２ａでは、液晶層に印加する電圧を制御して電気光学特性によって決定される光透過率を制御することができる。一方、第２領域４３ｂに対応する液晶パネル４２の領域４２ｂでは、入射光の強度がゼロであることから、液晶層における光透過率を制御した場合であっても、出射光の強度はゼロである。つまり、第１領域４２ａでは映像が表示されるが、第２領域４２ｂでは映像が表示されない。上述した如く、スイッチ用の液晶パネル４１のオン／オフによって、映像表示用の液晶パネル４２の第１領域４２ａでの映像の表示と、第２領域４２ｂでの映像の表示とを切替える。
【００５４】
［通常表示（図５）］
通常表示では、スイッチ用の液晶パネル４１をオンさせ、入射光を４５°旋光して出射させる。
位相差板４３の第１領域４３ａを通過する光は、その入射光の偏光方向と第１領域４３ａにおけるラビング方向とのなす角が２２．５°であることから、２２．５°の２倍、すなわち４５°旋光することから、偏光方向は０°となる。一方、位相差板４３の第２領域４３ｂを通過する光は、その入射光の偏光方向と第２領域４３ｂにおけるラビング方向とのなす角が−２２．５°であることから、−２２．５°の２倍、すなわち−４５°旋光することから、偏光方向は９０°となる。このように、第１領域４３ａを通過した光と第２領域４３ｂを通過した光との偏光方向は９０°異なるが、映像表示用の液晶パネル４２の光入射面に貼付した偏光板４５に対して、いずれも４５°異なっており、同強度の光が液晶パネル４２へ入射される。
【００５５】
したがって、第１領域４３ａに対応する液晶パネル４２の領域４２ａ、及び第２領域４３ｂに対応する液晶パネル４２の領域４２ｂで、液晶層に印加する電圧を制御して電気光学特性によって決定される光透過率を制御することができる。
【００５６】
図６は本発明に用いる表示装置用のリモコンの模式図である。リモコン３は、その表面に表示装置１の操作を行なうためのボタン型の各種の操作キーを備えている。
２画面キー５１は、ユーザが押下することによって、２つの映像を表示面の左右に表示（２画面表示）する旨を指示するためのものであり、押下されるごとに２画面表示の切り替えを行なう旨の操作信号を生成し、操作信号送信部３３から表示装置１に向けて送信する。例えば、通常表示が行なわれているときに、２画面キー５１が押下されると２画面表示に切り替わり、２画面表示が行なわれているときに、２画面キー５１が押下されると通常表示に切り替わる。
【００５７】
デュアルビューキー５２は、ユーザが押下することによって、デュアルビュー表示を指示するためのものであり、押下されるごとにデュアルビュー表示の切り替えを行なう旨の操作信号を生成し、操作信号送信部３３から表示装置１に向けて送信する。例えば、２画面表示が行なわれているときに、デュアルビューキー５２が押下されるとデュアルビュー表示に切り替わり、デュアルビュー表示が行なわれているときに、デュアルビューキー５２が押下されると２画面表示に切り替わる。
【００５８】
メニューキー５４は、表示装置１のコントラスト、明るさ、フォーカス、色相、色温度などの設定を行なうためのＯＳＤ映像（メニュー映像）を表示部１９に表示する旨を指示するためのものであり、押下されるごとにメニュー表示の切り替えを行なう旨の操作信号を生成し、操作信号送信部３３から表示装置１に向けて送信する。カーソル／決定キー５５は、メニュー表示された映像に従ってユーザが上述したような各種の設定を行なうためのものである。
【００５９】
画面表示キー５３は、ユーザが押下することによって、メニュー映像の表示を入れ替えるべく表示装置１に指示を行なうためのものであり、押下されるごとにメニュー映像の表示を入れ替える旨の操作信号を生成し、操作信号送信部３３から表示装置１に向けて送信する。例えば、左画面にメニュー映像が表示されているときに、画面表示キー５３が押下されると右画面にメニュー映像が表示され、右画面にメニュー映像が表示されているときに、画面表示キー５３が押下されると左画面にメニュー映像が表示される。
【００６０】
チャンネルキーは、予め放送局を割り当てた１〜１２チャンネルのうちの受信する放送局を選曲するためダイレクトキー５６、及び現在選曲中のチャンネルをインクリメント又はデクリメントする上下キー５７から構成される。また、音量キー５８は、スピーカ部２１から出力される音声レベルを調整するためのものである。例えば、ダイレクトキー５６は、押下されたチャンネルキーに応じてチャンネル選択のための操作信号を生成し、操作信号送信部３３から表示装置１に向けて送信する。
【００６１】
次に、本発明に係る表示装置１が行なう動作をフローチャートに基づいて説明する。
図７乃至図１０は本発明に係る表示装置が行なう処理手順を示すフローチャート、図１１乃至図１４は表示部に表示される映像を示す図である。なお、処理手順は一例であってこれに限るものではない。また、このような処理手順は制御プログラムをＲＯＭ１１に組み込んでおくことにより行なうことができる。
【００６２】
先ず、２画面表示キー５１がユーザによって押下されたか否かを監視しており（ステップＳ１）、２画面表示キー５１が押下されると（Ｓ１：ＹＥＳ）、リモコン３から表示装置１に操作信号が送信され、制御部１０はＲＯＭ１１から音符マークの副映像を読み出し（ステップＳ２）、現在出力されている音声出力がいずれの映像に係るものであるかを判断し、音声出力に対応した映像に音符マークの副映像を合成する（ステップＳ３）。そして、合成された合成映像を表示部１９に出力する（ステップＳ４）。図１１は、表示部１９の左側に第１映像６０ａが、右側に第２映像６０ｂが表示されている一例を示しており、第１映像６０ａが、音声出力に対応した映像であって、第１映像６０ａに音符マークの副映像６１が合成されている。
【００６３】
これにより、ユーザは、表示部１９に表示された副映像６１によって、現在出力されている音声出力がいずれの映像６０ａ，６０ｂに対応しているかを視認することができる。副映像６１は主映像６０ａ，６０ｂに対して所定の透明度を有することにして、副映像６１の領域における主映像６０ａ，６０ｂをユーザに視認させることができる。副映像６１が透明でない場合、副映像の領域に対応する主映像の領域が見えなくなるが、所定の透明度の副映像を合成することで、副映像によって多少は主映像の対応する領域が見え難くなるが、全く見えなくなることはない。
【００６４】
また、デュアルビューキー５２がユーザによって押下されたか否かを監視しており（ステップＳ５）、デュアルビューキー５２が押下されると（Ｓ５：ＹＥＳ）、リモコン３から表示装置１に操作信号が送信され、制御部１０はＲＯＭ１１から音符マークの副映像及び音声対応映像でないことを示す副映像を読み出し（ステップＳ６）、現在出力されている音声出力がいずれの映像に係るものであるかを判断し、音声出力に対応した映像に音符マークの副映像を合成する（ステップＳ７）。そして、合成された合成映像を一の視線方向の映像として表示部１９に出力する（ステップＳ８）。
【００６５】
また、音声出力に対応していない映像に音声対応映像でないことを示す副映像を合成する（ステップＳ９）。そして、合成された合成映像を他の視線方向の映像として表示部１９に出力する（ステップＳ１０）。図１２は、表示部１９の左視線方向に第１映像７０ａが、右視線方向に第２映像７０ｂが表示されている一例を示しており、第１映像７０ａが、音声出力に対応した映像であって、第１映像７０ａに音符マークの副映像７１が合成されている。また、第２映像７０ｂが、音声出力に対応していいない映像であって、第２映像７０ｂに、音声対応映像でないことを示す副映像７２が合成されている。これにより、左視線方向のユーザは、表示部１９に表示された副映像７１によって、現在出力されている音声出力が、左視線方向の映像に対応していることを把握することができる。また、右視線方向のユーザは、表示部１９に表示された副映像７２によって、現在出力されている音声出力が、右視線方向の映像に対応していないことを把握することができる。つまり、方向によって視認できる映像が異なる場合であっても、表示部１９に表示された副映像７１，７２によって、現在出力されている音声出力が、それぞれのユーザの視線方向の映像に対応しているかをユーザに視認させることができる。
【００６６】
また、メニューキー５４がユーザによって押下されたか否かを監視しており（ステップＳ１１）、メニューキー５４が押下されると（Ｓ１１：ＹＥＳ）、リモコン３から表示装置１に操作信号が送信され、制御部１０はＲＯＭ１１から表示装置１の調整項目のようなメニューに関する副映像及びメニューに関する副映像が一の視線方向に出力されていることを示す副映像を読み出し（ステップＳ１２）、現在出力されている音声出力がいずれの映像に係るものであるかを判断し、音声出力に対応した映像にメニューに関する副映像を合成する（ステップＳ１３）。そして、合成された合成映像を一の視線方向の映像として表示部１９に出力する（ステップＳ１４）。
【００６７】
また、音声出力に対応していない映像に、メニューに関する副映像が一の視線方向に出力されていることを示す副映像を合成する（ステップＳ１５）。そして、合成された合成映像を他の視線方向の映像として表示部１９に出力する（ステップＳ１６）。図１３は、表示部１９の左視線方向に第１映像７０ａが、右視線方向に第２映像７０ｂが表示されている一例を示しており、第１映像７０ａが、音声出力に対応した映像であって、第１映像７０ａにメニューに関する副映像７３が合成されている。これにより、ユーザは、表示部１９に表示された副映像７３によって、表示装置１の調整を一の視線方向で行なうことができる。また、他の視線方向への各種の調整用の映像の出力が禁止されているので、他の視線方向のユーザが表示装置１の調整を行なうことを防止することができる。また、第２映像７０ｂに、メニューに関する副映像をこの視線方向に出力するための操作に関する映像としても機能する副映像７４が合成されている。これにより、ユーザは、表示部１９に表示された副映像７４を参照することによって、表示装置１の調整をこの視線方向で行なえるようにすることができる。
【００６８】
また、画面表示キー５３がユーザによって押下されたか否かを監視しており（ステップＳ１７）、画面表示キー５３が押下されると（Ｓ１７：ＹＥＳ）、リモコン３から表示装置１に操作信号が送信され、制御部１０はＲＯＭ１１からメニューに関する副映像及びメニューに関する副映像が他の視線方向に出力されていることを示す副映像を読み出し（ステップＳ１８）、音声出力に対応していない映像にメニューに関する副映像を合成する（ステップＳ１９）。そして、合成された合成映像を他の視線方向の映像として表示部１９に出力する（ステップＳ２０）。
【００６９】
また、音声出力に対応した映像に、メニューに関する副映像が他の視線方向に出力されていることを示す副映像を合成する（ステップＳ２１）。そして、合成された合成映像を一の視線方向の映像として表示部１９に出力する（ステップＳ２２）。図１４は、表示部１９の左視線方向に第１映像７０ａが、右視線方向に第２映像７０ｂが表示されている一例を示しており、第１映像７０ａが音声出力に対応した映像であるが、画面表示キー５３が押下されたことによって、第２映像７０ｂにメニューに関する副映像７５が合成されている。また、第１映像７０ａに、メニューに関する副映像をこの視線方向に出力するための操作に関する映像としても機能する副映像７６が合成されている。このように、画面表示キー５３の押下によって、メニュー表示と通知表示とを入れ替える。これにより、ユーザは、表示部１９に表示された副映像７５によって、表示装置１の調整を他の視線方向で行なうことができる。また、一の視線方向への各種の調整用の映像の出力が禁止されているので、一の視線方向のユーザが表示装置の調整を行なうことを防止することができる。
【００７０】
なお、実施の形態では、音声出力に対応した映像に音符マークの副映像を合成し、音声出力に対応していない映像に音声対応映像でないことを示す副映像を合成する形態について説明したが、いずれの方向の映像信号に対応した音声信号が出力されているかを示す副映像を各方向の映像信号に合成するようにしてもよい。３つ以上の方向に、方向によって異なる映像が表示される場合、上述したような副映像では、いずれの方向の映像信号に対応した音声信号が出力されているかを把握することはできないが、どの方向（第１方向、第２方向、…）の映像に係る音声が出力されているかを示す副映像を第１方向、第２方向、…の各映像に合成すれば、音声出力がどの方向の映像に対応したものであるかをすべての方向のユーザが容易に把握することができる。
【００７１】
また、実施の形態では、副映像７４が、メニューに関する副映像が一方の視線方向に出力されていることを示す副映像、及び一方の視線方向に合成されているメニューに関する副映像を他方の視線方向に出力するための操作に関する副映像の両機能を有する形態について説明したが、いずれか一方の機能のみを有しているような形態であってもよいことは勿論である。
【図面の簡単な説明】
【００７２】
【図１】本発明に係る表示装置の構成例を示すブロック図である。
【図２】表示部としての液晶パネルの構成を示す分解斜視図である。
【図３】本発明に用いる位相差板の第１領域と第２領域との配置例を示す斜視図である。
【図４】表示部の動作を説明するための説明図である。
【図５】表示部の動作を説明するための説明図である。
【図６】本発明に用いる表示装置用のリモコンの模式図である。
【図７】本発明に係る表示装置が行なう処理手順を示すフローチャートである。
【図８】本発明に係る表示装置が行なう処理手順を示すフローチャートである。
【図９】本発明に係る表示装置が行なう処理手順を示すフローチャートである。
【図１０】本発明に係る表示装置が行なう処理手順を示すフローチャートである。
【図１１】表示部に表示される映像を示す図である。
【図１２】表示部に表示される映像を示す図である。
【図１３】表示部に表示される映像を示す図である。
【図１４】表示部に表示される映像を示す図である。
【図１５】従来の２画面表示の表示例を示す図である。
【図１６】従来の２画面表示を視差バリア方式の表示装置に適用した図である。
【符号の説明】
【００７３】
１  表示装置
１０  制御部
１２ａ，１２ｂ  セレクタ
１３  地上放送用チューナ部
１４  衛星放送用チューナ部
１５  外部入力部
１６  映像コーデック
１６ａ  合成処理部
２２  操作信号受信部
３  リモコン
３０  制御部
３２  操作部
３３  操作信号送信部
【図１】
0004845476.tif 000002
【図２】
0004845476.tif 000003
【図３】
0004845476.tif 000004
【図４】
0004845476.tif 000005
【図５】
0004845476.tif 000006
【図６】
0004845476.tif 000007
【図７】
0004845476.tif 000008
【図８】
0004845476.tif 000009
【図９】
0004845476.tif 000010
【図１０】
0004845476.tif 000011
【図１１】
0004845476.tif 000012
【図１２】
0004845476.tif 000013
【図１３】
0004845476.tif 000014
【図１４】
0004845476.tif 000015
【図１５】
0004845476.tif 000016
【図１６】
0004845476.tif 000017